(57)【要約】【課題】  中央部の光度が増大した最適な配光が得られ、集光レンズの移動を伴わずに配光制御が行えるＬＥＤ式スポットライトを提供することである。【解決手段】  複数個のＬＥＤ１３ａ〜１３ｅが取り付けられたＬＥＤ配列部１４の中央部に位置するＬＥＤ１３ｂ、１３ｃ、１３ｄの光は集光レンズ１５の縁部に、ＬＥＤ配列部１４の縁部に位置するＬＥＤ１３ａ、１３ｅの光は集光レンズ１５の中央部にそれぞれ導かれるように、複数個の光ファイバ１７ａ〜１７ｅの先端部をスポットライト本体１２に配置する。【選択図】  図１
2006004862.tif 000002
【特許請求の範囲】
【請求項１】
複数個のＬＥＤが取り付けられたＬＥＤ配列部と；
前記ＬＥＤ配列部の複数個のＬＥＤからの光を集光して光照射部から外部に照射する集光レンズを収納するスポットライト本体と；
前記ＬＥＤ配列部の中央部に位置するＬＥＤの光は前記集光レンズの縁部に、前記ＬＥＤ配列部の縁部に位置するＬＥＤの光は前記集光レンズの中央部にそれぞれ導く複数個の光ファイバと：
を備えたことを特徴とするＬＥＤ式スポットライト。
【請求項２】
複数個のＬＥＤが取り付けられたＬＥＤ配列部と；
光照射部から外部に光を照射するスポットライト本体と；
前記ＬＥＤ配列部の複数個のＬＥＤの光を前記スポットライト本体の前記光照射部に導く複数個の光ファイバと；
前記光照射部に向く前記光ファイバの先端部の位置を前記光照射部の出射面中央部から前記光照射部の出射面縁部の間で移動可能とし前記光照射部から照射される光の集光や拡散を行うための光ファイバ可動調整部と；
を備えたことを特徴とするＬＥＤ式スポットライト。
【請求項３】
複数個のＬＥＤが取り付けられたＬＥＤ配列部と；
前記ＬＥＤ配列部の複数個のＬＥＤからの光を集光して光照射部から外部に照射する集光レンズを収納するスポットライト本体と；
前記ＬＥＤ配列部の複数個のＬＥＤの光を前記スポットライト本体の前記集光レンズに導く複数個の光ファイバと；
前記集光レンズに向く複数個の光ファイバの先端部を保持しその光ファイバの先端部の位置を前記集光レンズ方向に移動可能とし前記光ファイバ先端部と前記集光レンズまでの距離を調整するための光ファイバ移動機構部と；
を備えたことを特徴とするＬＥＤ式スポットライト。
【発明の詳細な説明】
【技術分野】
【０００１】
本発明は、発光ダイオードＬＥＤを用いたＬＥＤ式スポットライトに関する。
【背景技術】
【０００２】
一般に、劇場やテレビスタジオ等の照明用に使用されるスポットライトの光源には、ハロゲン電球や放電ランプが使用されている。これは、光源の発光部分がレンズに対して十分小さく、レンズが光源の光を充分に取り込むことができ効率よく照射できるからである。ハロゲン電球や放電ランプを用いたスポットライトでは、フィラメントをできるだけ高温に熱して光を発生させるので、可視光だけでなく多くの熱線を放射する。従って、光源を収納する筐体には熱に耐える金属板が使用され、またレンズも耐熱性のガラスが使用されるので、スポットライトが重くなりスポットライトの移動に労力を要している。
【０００３】
そこで、近年のＬＥＤの高光度化に伴い、また省電力化や低発熱の要望もありスポットライトの光源としてＬＥＤが注目されている。発光ダイオード（ＬＥＤ）を用いたＬＥＤ式スポットライトは、多数のＬＥＤを光源として配置し、各ＬＥＤの照射ビームを一点に集光させて仮想の単一点光源ユニットを構成し、この光源ユニットとレンズとの位置関係を可変にして被照射面の照度及び照度分布を変化させるようにしたスポットライトが開発されている（例えば、特許文献１参照）。また、ＬＥＤの光を光ファイバに伝達させながら光ファイバの一端から光を放射させ、長寿命化を図った照明装置がある（例えば、特許文献２参照）。
【特許文献１】特開２００１−３０７５０２号公報（図２、図３）
【特許文献２】特開２００３−３０８７１７号公報（図３ｂ）
【発明の開示】
【発明が解決しようとする課題】
【０００４】
しかしながら、現状のＬＥＤの発光量では、現行スポットライトと同等の明るさを得るためには、複数個のＬＥＤをＬＥＤ配列部に取り付ける必要があり、複数個のＬＥＤを取り付けた場合、ＬＥＤ配列部の中央部のＬＥＤ温度は周囲のＬＥＤの熱を受けるため発光効率が下がる。
【０００５】
発光効率が下がったＬＥＤの出力光をそのままスポットライトの集光レンズに照射した場合、スポットライトからの照射光は中心部の明るさが落ちる。一般にスポットライトの配光はフラットな配光が好まれるが、上記現象により配光の中心部が落ち込む傾向がある。
【０００６】
また、スポットライトは集光レンズの移動もしくは光源の移動により配光制御を行う。集光レンズは、集光レンズの下面を移動機構に固定して行われるが、平たく大きな集光レンズを下面のみの固定で移動させると、集光レンズに対する振動が大きくなり固定ネジの緩み等が発生し好ましくない。一方、光源の移動も同様で、ＬＥＤのような電子部品に対して移動による振動を与えることは好ましくない。従って、振動を与えない移動機構が要請されるので、集光レンズの移動機構や光源であるＬＥＤ配列部の移動機構は複雑となりコスト高の原因ともなっている。
【０００７】
本発明の目的は、中央部の光度が増大した最適な配光が得られ、集光レンズの移動を伴わずに配光制御が行えるＬＥＤ式スポットライトを提供することである。
【課題を解決するための手段】
【０００８】
請求項１の発明に係わるＬＥＤ式スポットライトは、複数個のＬＥＤが取り付けられたＬＥＤ配列部と；前記ＬＥＤ配列部の複数個のＬＥＤからの光を集光して光照射部から外部に照射する集光レンズを収納するスポットライト本体と；前記ＬＥＤ配列部の中央部に位置するＬＥＤの光は前記集光レンズの縁部に、前記ＬＥＤ配列部の縁部に位置するＬＥＤの光は前記集光レンズの中央部にそれぞれ導く複数個の光ファイバと：を備えたことを特徴とする。
【０００９】
本発明及び以下の発明において、特に指定しない限り用語の定義及び技術的意味は以下による。ＬＥＤ式スポットライトは、舞台やテレビスタジオ等の照明用に使用されるスポットライトとして使用される照明装置であり、光源として複数のＬＥＤ（発光ダイオード）が使用され、被写体に対して集光レンズで集光した光を照射する。
【００１０】
スポットライト本体は、例えば金属製の箱体で形成され、内部に複数個のＬＥＤから出射される出射光を集光する集光レンズを収納する。なお、外部に光を照射する光照射部からの照射光の照射範囲を調節するバンドアを付設してもよい。
【００１１】
ＬＥＤ配列部は例えば絶縁材料で椀状に形成され、複数個のＬＥＤは椀状の凹面に密接して配置され、複数個のＬＥＤからの光ビームが所定位置に向くように並んで配置される。そして、スポットライト本体内部または外付けでスポットライト本体外部に設置される。ＬＥＤ配列部のＬＥＤはいわゆるパワー型ＬＥＤ及び砲弾型ＬＥＤの双方を含み、パワー型ＬＥＤのみが配置される場合、砲弾型ＬＥＤのみが配置される場合、パワー型ＬＥＤ及び砲弾型ＬＥＤの双方が配置される場合の双方を含む。パワー型ＬＥＤは高ワット型であり光出力が大きく発熱量も砲弾型ＬＥＤに比べて大きいものである。
【００１２】
集光レンズは、複数個のＬＥＤから離間してスポットライト本体内に配設され、複数個のＬＥＤから出射される出射光を集光して光照射部から外部に照射するものであり、球面レンズや平坦状レンズを含む。また、１個または２個以上のレンズを利用した２群構成のレンズを有する場合も含む。
【００１３】
さらに、複数個の光ファイバがＬＥＤ配列部の複数個のＬＥＤと集光レンズとの間に設けられ、複数個の光ファイバは、ＬＥＤ配列部の中央部に位置するＬＥＤの光を集光レンズの縁部に導き、ＬＥＤ配列部の縁部に位置するＬＥＤの光を集光レンズの中央部に導く。複数個の光ファイバはＬＥＤ毎に設けられる。
【００１４】
本発明によれば、発光効率が低いＬＥＤ配列部の中央部に位置するＬＥＤの光を集光レンズの縁部に導き、発光効率が高いＬＥＤ配列部の縁部に位置するＬＥＤの光を集光レンズの中央部に導くので、ＬＥＤ式スポットライトからの照射光は中心部の明るさが向上し最適な配光が得られる。また、ＬＥＤ配列部のＬＥＤからの光を光ファイバで集光レンズに導くので、ＬＥＤ配列部がスポットライト本体の外部に設置された場合であっても、ＬＥＤ配列部のＬＥＤからの光を光ファイバで集光レンズに導くことができる。
【００１５】
請求項２の発明に係わるＬＥＤ式スポットライトは、複数個のＬＥＤが取り付けられたＬＥＤ配列部と；光照射部から外部に光を照射するスポットライト本体と；前記ＬＥＤ配列部の複数個のＬＥＤの光を前記スポットライト本体の前記光照射部に導く複数個の光ファイバと；前記光照射部に向く前記光ファイバの先端部の位置を前記光照射部の出射面中央部から前記光照射部の出射面縁部の間で移動可能とし前記光照射部から照射される光の集光や拡散を行うための光ファイバ可動調整部と；を備えたことを特徴とする。
【００１６】
ＬＥＤ配列部は例えば絶縁材料で形成され、スポットライト本体内部または外付けでスポットライト本体外部に設置される。光ファイバは、ＬＥＤ配列部の複数個のＬＥＤの光をスポットライト本体の光照射部に導くものでありＬＥＤ毎に設けられる。
【００１７】
光ファイバ可動調整部は、スポットライト本体の光照射部に向く光ファイバ先端部の位置を可変させるものである。すなわち、光ファイバ先端部の位置を光照射部の出射面中央部から光照射部の出射面縁部の間で移動させる。光ファイバ先端部の位置を光照射部の出射面中央部に移動させたときは、光照射部から外部に照射される照射光は集光となり、逆に、光ファイバ先端部の位置を光照射部の出射面縁部に移動させたときは光照射部から外部に照射される照射光は拡散となる。
【００１８】
本発明によれば、光ファイバ先端部の位置を光照射部の出射面中央部から光照射部の出射面縁部の間で移動させることができるので、集光レンズを必要とすることなく配光制御が可能となる。
【００１９】
請求項３の発明に係わるＬＥＤ式スポットライトは、複数個のＬＥＤが取り付けられたＬＥＤ配列部と；前記ＬＥＤ配列部の複数個のＬＥＤからの光を集光して光照射部から外部に照射する集光レンズを収納するスポットライト本体と；前記ＬＥＤ配列部の複数個のＬＥＤの光を前記スポットライト本体の前記集光レンズに導く複数個の光ファイバと；前記集光レンズに向く複数個の光ファイバの先端部を保持しその光ファイバの先端部の位置を前記集光レンズ方向に移動可能とし前記光ファイバ先端部と前記集光レンズまでの距離を調整するための光ファイバ移動機構部と；を備えたことを特徴とする。
【００２０】
ＬＥＤ配列部は例えば絶縁材料で形成され、スポットライト本体内部または外付けでスポットライト本体外部に設置される。光ファイバは、ＬＥＤ配列部の複数個のＬＥＤの光をスポットライト本体の集光レンズに導くものでありＬＥＤ毎に設けられる。
【００２１】
光ファイバ移動機構部は、集光レンズに向く複数個の光ファイバの先端部を保持し、その光ファイバの先端部の位置を可変させるものである。すなわち、光ファイバの先端部の位置を集光レンズ方向に前後に移動させ、光ファイバ先端部から集光レンズまでの距離を調整する。光ファイバの先端部の位置を集光レンズに近づけたときは、光照射部から外部に照射される照射光は集光となり、逆に、光ファイバの先端部の位置を集光レンズから遠ざけたときは、光照射部から外部に照射される照射光は拡散となる。
【００２２】
本発明によれば、集光レンズに向く複数個の光ファイバの先端部の位置を可変させることができるので、集光レンズを固定したままで配光制御が可能となる。従って、ＬＥＤのような電子部品に対して移動による振動を与えることがなく配光制御を行うことができる。
【発明の効果】
【００２３】
請求項１の発明によれば、発光効率が低いＬＥＤ配列部の中央部に位置するＬＥＤの光を集光レンズの縁部に導き、発光効率が高いＬＥＤ配列部の縁部に位置するＬＥＤの光を集光レンズの中央部に導くので、ＬＥＤ式スポットライトからの照射光は中心部の明るさが向上し最適な配光が得られる。また、ＬＥＤ配列部のＬＥＤからの光を光ファイバで集光レンズに導くので、ＬＥＤ配列部がスポットライト本体の外部に設置された場合であっても、ＬＥＤ配列部のＬＥＤからの光を光ファイバで集光レンズに導くことができる。
【００２４】
請求項２の発明によれば、光ファイバ先端部の位置を光照射部の出射面中央部から光照射部の出射面縁部の間で移動させることができるので、集光レンズを必要とすることなく配光制御が可能となる。
【００２５】
請求項３の発明によれば、集光レンズに向く複数個の光ファイバの先端部の位置を可変させることができるので、集光レンズを固定したままで配光制御が可能となる。従って、ＬＥＤのような電子部品に対して移動による振動を与えることがなく配光制御を行うことができる。
【発明を実施するための最良の形態】
【００２６】
（第１の実施の形態）
図１は本発明の第１の実施の形態に係わるＬＥＤ式スポットライトの構成図、図２はその正面図である。ＬＥＤ式スポットライト１１のスポットライト本体１２には、複数のＬＥＤ１３ａ〜１３ｅを配列したＬＥＤ配列部１４が収納されるとともに、ＬＥＤ配列部１４の複数のＬＥＤ１３ａ〜１３ｅから出射された出射光を集光して外部に照射する集光レンズ１５が収納されている。ＬＥＤ配列部１４に装着される複数のＬＥＤ１３ａ〜１３ｅは、図１では５個のＬＥＤ１３ａ〜１３ｅを図示しているが、実際には円形状の平面上または椀状の凹面に密接して配置されるので５個以上となる。以下の説明では、説明を簡単にするために５個のＬＥＤ１３ａ〜１３ｅとして説明する。
【００２７】
集光レンズ１５は、ＬＥＤ配列部１４から離間して配設され、ＬＥＤ配列部１４の複数のＬＥＤ１３ａ〜１３ｅから出射される出射光を集光するものであり、球面レンズや平坦状レンズで形成される。図１では１個のフレネルレンズを用いた場合を示している。また、スポットライト本体１２の集光レンズ１５側にはバンドア１６が設けられており、このバンドア１６の開閉角度を調節することにより、スポットライト本体１２からの光の照射範囲を調節する。
【００２８】
さらに、複数個の光ファイバ１７ａ〜１７ｅがＬＥＤ配列部１４の複数個の各々のＬＥＤ１３ａ〜１３ｅに対応してそれぞれ設けられ、各々のＬＥＤ１３ａ〜１３ｅからの光を集光レンズ１５に導くように構成されている。
【００２９】
ＬＥＤ配列部１４の中央部に位置するＬＥＤ１３ｂ、１３ｃ、１３ｄの光ファイバ１７ｂ、１７ｃ、１７ｄは、ＬＥＤ１３ｂ、１３ｃ、１３ｄの光を集光レンズ１５の縁部に導く。また、ＬＥＤ配列部１４の縁部に位置するＬＥＤ１３ａ、１３ｅの光ファイバ１７ａ、１７ｅは、ＬＥＤ１３ａ、１３ｅの光を集光レンズ１５の中央部に導く。そして、集光レンズ１５で集光された光は光照射部１８からバンドル１６で調整されて外部に照射される。  
このように、ＬＥＤ配列部１４に取り付けられた複数個のＬＥＤ１３ａ〜１３ｅのうち、周囲のＬＥＤの熱を受け発光効率が下がる中央部のＬＥＤ１３ｂ、１３ｃ、１３ｄの光を集光レンズ１５の縁部に導き、周囲のＬＥＤの熱の影響をほとんど受けずに発光効率の低下が少ないＬＥＤ配列部１４の縁部のＬＥＤ１３ａ、１３ｅの光を集光レンズ１５の縁部に導くので、ＬＥＤ式スポットライト１１からの照射光は中心部の明るさが向上し最適な配光が得られる。
【００３０】
図３は本発明の第１の実施の形態に係わるＬＥＤ式スポットライトの他の一例を示す構成図である。この図３に示した一例は、図１に示した一例に対し、ＬＥＤ配列部１４をスポットライト本体１２の外付けとしたものである。
【００３１】
多数のＬＥＤ１３ａ〜１３ｅを使用する場合にはＬＥＤ１３ａ〜１３ｅの発熱が大きくなるので、スポットライト本体１２にＬＥＤ配列部１４を収納することが困難となる場合がある。そこで、ＬＥＤ配列部１４をスポットライト本体１２の外付けとし、光ファイバ１７ａ〜１７ｅによりスポットライト本体の集光レンズ１５に光を導くようにする。この場合においても、ＬＥＤ配列部１４の中央部に位置するＬＥＤ１３ｂ、１３ｃ、１３ｄの光を集光レンズ１５の縁部に導き、ＬＥＤ配列部１４の縁部に位置するＬＥＤ１３ａ、１３ｅの光を集光レンズ１５の中央部に導く。これにより、ＬＥＤ式スポットライト１１からの照射光は中心部の明るさが向上し最適な配光が得られる。
【００３２】
第１の実施の形態によれば、発光効率が低いＬＥＤ配列部１４の中央部に位置するＬＥＤ１３ｂ、１３ｃ、１３ｄの光を集光レンズ１５の縁部に導き、発光効率が高いＬＥＤ配列部１４の縁部に位置するＬＥＤ１３ａ、１３ｅの光を集光レンズ１５の中央部に導くので、ＬＥＤ式スポットライト１１からの照射光は中心部の明るさが向上し最適な配光が得られる。また、ＬＥＤ配列部１４のＬＥＤ１３ａ〜１３ｅからの光を光ファイバ１７ａ〜１７ｅで集光レンズ１５に導くので、ＬＥＤ配列部１４がスポットライト本体１２の外部に設置された場合であっても、ＬＥＤ配列部１４のＬＥＤからの光を光ファイバ１３で集光レンズ１５に導くことができる。
【００３３】
（第２の実施の形態）
図４は本発明の第２の実施の形態に係わるＬＥＤ式スポットライトの構成図であり、ＬＥＤ式スポットライトが集光状態であるときを示している。この第２の実施の形態は、集光レンズ１５を省略し、光照射部１８に向く光ファイバ１７ａ、１７ｂの先端部の位置を光照射部１８の出射面中央部から光照射部１８の出射面縁部の間で移動させるための光ファイバ可動調整部１９を設けたものである。光ファイバ可動調整部１９はファイバ開閉部１９ａとファイバ調節棒１９ｂとから構成されている。図１と同一要素には同一符号を付し重複する説明は省略する。
【００３４】
図４に示すように、ＬＥＤ配列部１４は、図３に示した第１の実施の形態の一例と同様にスポットライト本体１２の外部に外付けで配置され、ＬＥＤ配列部１４には複数個のＬＥＤ１３ａ、１３ｂが装着されている。図４では、２個のＬＥＤ１３ａ、１３ｂが装着された場合を示しているが、実際には２個以上のＬＥＤ１３が装着される。
【００３５】
光ファイバ１７ａ、１７ｂは各々のＬＥＤ１３ａ、１３ｂ毎に設けられ、スポットライト本体１２のファイバ係止部２０ａ、２０ｂで固定されている。光ファイバ１７ａ、１７ｂはぞれそれのＬＥＤ１３ａ、１３ｂからの光をスポットライト本体１２の光照射部１８に導き、光出射部１８から外部に照射する。
【００３６】
光ファイバ可動調整部１９は、一対の光ファイバ１７ａ、１７ｂの先端部を図４の上下方向、すなわち、光照射部１８の出射面中央部から光照射部１８の出射面縁部の間で移動させるためのファイバ開閉部１９ａと、ファイバ開閉部１９ａの開閉位置を調節するためのファイバ調整棒１９ｂとから構成される。
【００３７】
ファイバ調整棒１９ｂを図４の左右方向に移動させたときは、ファイバ開閉器１９ａが図４の上下方向に移動し、光ファイバ１７ａ、１７ｂの先端部が図４の上下方向に移動する。この場合、スポットライト本体１２のファイバ係止部２０ａ、２０ｂが光ファイバ１７ａ、１７ｂの支点として作用する。
【００３８】
図４では、光ファイバ１７ａ、１７ｂの先端部の位置を光照射部１８の出射面中央部に移動させた状態を示しており、この状態では、光照射部１８から外部に照射される照射光は集光となる。一方、ファイバ調整棒１９ｂを図４の左方向に押し込むと、図５に示すように、光ファイバ１７ａ、１７ｂの先端部の位置が光照射部１８の出射面縁部に移動する。この状態の時は、光照射部１８から外部に照射される照射光は拡散となる。
【００３９】
このように、スポットライト本体１２の光照射部１８に向く光ファイバ１７ａ、１７ｂの先端部の位置を可変させ、光ファイバ１７ａ、１７ｂの先端部の位置を光照射部１８の出射面中央部から光照射部の出射面縁部の間で移動させるので、光照射部１８から外部に照射される照射光の集光や拡散が容易に行える。従って、集光レンズ１５を必要としない。
【００４０】
以上の説明では、ＬＥＤ配列部１４をスポットライト本体１２の外付けとしたが、ＬＥＤ配列部１４をスポットライト本体１２内部に設けるようにしてもよい。この場合は、スポットライト本体１２内部で光ファイバ１７ａ、１７ｂの一部を固定し支点とする。また、一対の光ファイバ１７ａ、１７ｂを光ファイバ可動調整部１９で移動させる場合について説明したが、ファイバ開閉器１９ａの両端にそれぞれ複数個の光ファイバ１７を取り付けるようにしてもよい。また、複数個の光ファイバ１７を群に区分けし、群単位毎に光ファイバ可動調整部１９を設けるようにしてもよい。
【００４１】
第２の実施の形態によれば、光ファイバ１７の先端部の位置を光照射部１８の出射面中央部から光照射部の出射面縁部の間で移動させることができるので、集光レンズ１５を必要とすることなく配光制御が可能となる。
【００４２】
（第３の実施の形態）
図６は本発明の第３の実施の形態に係わるＬＥＤ式スポットライトの構成図である。この第３の実施の形態は、集光レンズ１５に向く複数個の光ファイバ１７ａ〜１７ｅの先端部の位置を集光レンズ方向に移動させるための光ファイバ移動機構部２１を設けたものである。光ファイバ移動機構部２１はファイバ可動棒２１ａと操作部２１ｂとから構成されている。
【００４３】
図６に示すように、ＬＥＤ配列部１４は、図３に示した第１の実施の形態の一例と同様にスポットライト本体１２の外部に外付けで配置され、ＬＥＤ配列部１４には複数個のＬＥＤ１３ａ〜１３ｅが装着されている。図６では、５個のＬＥＤ１３ａ〜１３ｅが装着された場合を示しているが、実際には５個以上のＬＥＤ１３が装着される。
【００４４】
光ファイバ１７ａ〜１７ｅは各々のＬＥＤ１３ａ〜１３ｅ毎に設けられ、ぞれそれのＬＥＤ１３ａ〜１３ｅからの光をスポットライト本体１２の集光レンズ１５に導き、光出射部１８から外部に照射する。
【００４５】
光ファイバ移動機構部２１は、集光レンズ１５に向く複数個の光ファイバ１７ａ〜１７ｅの先端部をファイバ可動棒２１ａで保持し、操作部２１ｂを操作することにより、その光ファイバ１７ａ〜１７ｅの先端部の位置を可変させる。すなわち、操作部２１ｂにより、光ファイバ１７ａ〜１７ｅの先端部の位置を集光レンズ１５方向の前後に移動させ、光ファイバ１７ａ〜１７ｅの先端部から集光レンズ１５までの距離を調整する。
【００４６】
光ファイバ１７ａ〜１７ｅの先端部の位置を集光レンズ１５に近づけたときは、光照射部１８から外部に照射される照射光は集光となり、逆に、光ファイバ１７ａ〜１７ｅの先端部の位置を集光レンズ１５から遠ざけたときは、光照射部１８から外部に照射される照射光は拡散となる。従って、従来のように配光制御を行う際に集光レンズ１５を移動させる必要がなくなる。
【００４７】
第３の実施の形態によれば、集光レンズ１５に向く複数個の光ファイバ１７ａ〜１７ｅの先端部の位置を可変させることができるので、集光レンズ１５を固定したままで配光制御が可能となる。従って、集光レンズ１５を移動させる場合に発生する振動がなくなり、ＬＥＤ１３を含めた電子部品に対して移動による振動を与えることがない。
【図面の簡単な説明】
【００４８】
【図１】本発明の第１の実施の形態に係わるＬＥＤ式スポットライトの構成図。
【図２】本発明の第１の実施の形態に係わるＬＥＤ式スポットライトの正面図。
【図３】本発明の第１の実施の形態に係わるＬＥＤ式スポットライトの他の一例を示す構成図。
【図４】本発明の第２の実施の形態に係わるＬＥＤ式スポットライトが集光状態であるときの構成図。
【図５】本発明の第２の実施の形態に係わるＬＥＤ式スポットライトが拡散状態であるときの構成図。
【図６】本発明の第３の実施の形態に係わるＬＥＤ式スポットライトの構成図。
【符号の説明】
【００４９】
１１…ＬＥＤ式スポットライト、１２…スポットライト本体、１３…ＬＥＤ、１４…ＬＥＤ配列部、１５…集光レンズ、１６…バンドア、１７…光ファイバ、１８…光照射部、１９…光ファイバ可動調整部、２０…ファイバ係止部、２１…光ファイバ移動機構部
【図１】
2006004862.tif 000003
【図２】
2006004862.tif 000004
【図３】
2006004862.tif 000005
【図４】
2006004862.tif 000006
【図５】
2006004862.tif 000007
【図６】
2006004862.tif 000008